(57)【要約】【課題】両ハウジングの離脱動作を支障なく行う。【解決手段】レバー６０の嵌合・離脱方向への回動操作に伴い、カム溝６７の溝面にカムフォロア４２が摺接して、第１、第２ハウジング２０、４０の嵌合・離脱動作が行われる。カム溝６７は、レバー６０の離脱方向への回動操作に伴いカム作用を発揮して両ハウジング２０、４０の離脱動作を行う作動領域７１と、作動領域７１の離脱方向の終端に連なり、レバー６０の離脱方向への回動操作によってもカム作用を発揮しない遊び領域７２とからなる。レバー６０と第２ハウジング４０とは、レバー６０が遊び領域７２を通過する間に、両ハウジング２０、４０の離脱姿勢の傾きを矯正する傾き規制部４４、４４Ａ、４４Ｂ、６６、６６Ａ、６６Ｂを備えている。【選択図】図３
2010140646.tif 000002
【特許請求の範囲】
【請求項１】
互いに嵌合・離脱可能な第１、第２ハウジングと、前記第１ハウジングに回動可能に装着されるレバーとを備え、
前記レバーにはカム溝が設けられ、前記第２ハウジングにはカムフォロアが設けられ、前記レバーの嵌合・離脱方向への回動操作に伴い、前記カム溝の溝面に前記カムフォロアが摺接して、前記両ハウジングの嵌合・離脱動作を行うレバー式コネクタであって、
前記カム溝は、前記レバーの離脱方向への回動操作に伴いカム作用を発揮して前記両ハウジングの離脱動作を行う作動領域と、前記作動領域の離脱方向の終端に連なり、前記レバーの離脱方向への回動操作によっても前記カム作用を発揮しない遊び領域とからなり、かつ、
前記レバーと前記第２ハウジングとは、前記レバーが前記遊び領域を通過する間に、前記両ハウジングの離脱姿勢の傾きを矯正する傾き規制部を備えていることを特徴とするレバー式コネクタ。
【請求項２】
前記第１、第２ハウジングは、前記嵌合・離脱方向に比べて前記嵌合・離脱方向と直交する幅方向に長い形状とされており、
前記レバーの回動操作の支点、前記カム溝、及び前記傾き規制部は、前記第１ハウジングの幅方向の中央よりも一方側へ偏った位置に設けられていることを特徴とする請求項１記載のレバー式コネクタ。
【請求項３】
前記レバー側の傾き規制部は、前記カム溝を有するカム板の外周縁に構成され、前記第２ハウジング側の傾き規制部は、前記第１ハウジング及び前記カム板が内嵌可能な筒状をなすフード部の奥壁内面に構成されていることを特徴とする請求項１又は２記載のレバー式コネクタ。
【請求項４】
前記第２ハウジング側の前記傾き規制部は、前記フード部の奥壁内面に突出して設けられた底上部によって構成され、前記レバー側の前記傾き規制部は、前記レバーの離脱方向への回動操作に伴って前記底上部に摺動可能に構成されていることを特徴とする請求項３記載のレバー式コネクタ。
【請求項５】
前記レバー側の前記傾き規制部は、前記カム板の外周縁に突出して設けられた突起部によって構成され、前記第２ハウジング側の前記傾き規制部は、前記レバーの離脱方向への回動操作に伴って前記突起部に摺動可能に構成されていることを特徴とする請求項３記載のレバー式コネクタ。
【請求項６】
前記レバー側の傾き規制部は、前記カム溝を有するカム板の外面に設けられたピンによって構成され、前記第２ハウジング側の傾き規制部は、前記第１ハウジング及び前記カム板が内嵌可能な筒状をなすフード部の開口縁に構成されている請求項１又は２記載のレバー式コネクタ。
【発明の詳細な説明】
【技術分野】
【０００１】
本発明は、レバー式コネクタに関する。
【背景技術】
【０００２】
レバー式コネクタとして、特許文献１に記載のものが知られている。このものは、互いに嵌合・離脱可能な第１、第２ハウジングと、第１ハウジングに回動可能に装着されるレバーとを備え、レバーにはカム溝が設けられ、第２ハウジングにはカムフォロアが設けられ、レバーの回動・離脱方向への回動操作によってカム溝とカムフォロアとが互いに係合してカム作用が発揮され、もって両ハウジングの嵌合・離脱動作が低操作力で行われるようになっている。
【特許文献１】特開２００４−２８８４４２公報
【発明の開示】
【発明が解決しようとする課題】
【０００３】
ところで、レバーを離脱方向へ回動する過程で、両ハウジングがその離脱領域の隙間範囲で正規の離脱姿勢から傾いた姿勢をとる場合がある。その場合に、両ハウジングの離脱動作が完了される予定の位置までレバーを回動しても、カムフォロアがカム溝の溝面から離間せずにカム溝との係合状態を保ち、両ハウジングが完全に引き離されないおそれがある。
【０００４】
本発明は上記のような事情に基づいて完成されたものであって、両ハウジングの離脱動作を支障なく行うことを目的とする。
【課題を解決するための手段】
【０００５】
上記の目的を達成するための手段として、請求項１の発明は、互いに嵌合・離脱可能な第１、第２ハウジングと、前記第１ハウジングに回動可能に装着されるレバーとを備え、前記レバーにはカム溝が設けられ、前記第２ハウジングにはカムフォロアが設けられ、前記レバーの嵌合・離脱方向への回動操作に伴い、前記カム溝の溝面に前記カムフォロアが摺接して、前記両ハウジングの嵌合・離脱動作を行うレバー式コネクタであって、前記カム溝は、前記レバーの離脱方向への回動操作に伴って前記両ハウジングの離脱動作を行うカム作用を発揮する作動領域と、前記作動領域の離脱方向の終端に連なり、前記レバーの離脱方向への回動操作によっても前記カム作用を発揮しない遊び領域とからなり、かつ、前記レバーと前記第２ハウジングとは、前記レバーが前記遊び領域を通過する間に、前記両ハウジングの離脱姿勢の傾きを矯正する傾き規制部を備えている構成としたところに特徴を有する。
【０００６】
請求項２の発明は、請求項１に記載のものにおいて、前記第１、第２ハウジングは、前記嵌合・離脱方向に比べて前記嵌合・離脱方向と直交する幅方向に長い形状とされており、前記レバーの回動操作の支点、前記カム溝、及び前記傾き規制部は、前記第１ハウジングの幅方向の中央よりも一方側へ偏った位置に設けられているところに特徴を有する。
【０００７】
請求項３の発明は、請求項１又は２に記載のものにおいて、前記レバー側の傾き規制部は、前記カム溝を有するカム板の外周縁に構成され、前記第２ハウジング側の傾き規制部は、前記第１ハウジング及び前記カム板が内嵌可能な筒状をなすフード部の奥壁内面に構成されているところに特徴を有する。
【０００８】
請求項４の発明は、請求項３に記載のものにおいて、前記第２ハウジング側の前記傾き規制部は、前記フード部の奥壁内面に突出して設けられた底上部によって構成され、前記レバー側の前記傾き規制部は、前記レバーの離脱方向への回動操作に伴って前記底上部に摺動可能に構成されているところに特徴を有する。
【０００９】
請求項５の発明は、請求項３に記載のものにおいて、前記レバー側の前記傾き規制部は、前記カム板の外周縁に突出して設けられた突起部によって構成され、前記第２ハウジング側の前記傾き規制部は、前記レバーの離脱方向への回動操作に伴って前記突起部に摺動可能に構成されているところに特徴を有する。
【００１０】
請求項６の発明は、請求項１又は２に記載のものにおいて、前記レバー側の傾き規制部は、前記カム溝を有するカム板の外面に設けられたピンによって構成され、前記第２ハウジング側の傾き規制部は、前記第１ハウジング及び前記カム板が内嵌可能な筒状をなすフード部の開口縁に構成されているところに特徴を有する。
【発明の効果】
【００１１】
＜請求項１の発明＞
レバーが離脱方向に回動されて遊び領域に入ったときに、両ハウジングの離脱姿勢が傾いていると、傾き規制部によって両ハウジングの離脱姿勢が矯正されるから、カムフォロアとカム溝の溝面とを完全に離間でき、両ハウジングの離脱動作を支障なく行うことができる。
【００１２】
＜請求項２の発明＞
第１、第２ハウジングが嵌合・離脱方向に比べて嵌合・離脱方向と直交する幅方向に長い形状とされており、レバーの回動操作の支点及びカム溝が第１ハウジングの幅方向の中央よりも一方側へ偏った位置に設けられているから、両ハウジングが互いに幅方向の一方側を近づけるとともに他方側を遠ざける向きに傾く姿勢をとるおそれがある。しかるに本発明によれば、傾き規制部が第１ハウジングの幅方向の中央よりも一方側へ偏った位置に設けられているから、両ハウジングの傾きが効果的に矯正される。
【００１３】
＜請求項３の発明＞
傾き規制部がカム溝を有するカム板の外周縁と第１ハウジング及びカム板が内嵌可能な筒状をなすフード部の奥壁内面とに構成されているから、両ハウジングが嵌合状態にあるときに、傾き規制部がフード部内に隠蔽されて保護状態に置かれる。その結果、傾き規制部が不用意に損傷されるのが防止される。
【００１４】
＜請求項４の発明＞
第２ハウジング側の傾き規制部がフード部の奥壁内面に突出して設けられた底上部によって構成され、レバー側の傾き規制部がレバーの離脱方向への回動操作に伴って底上部に摺動可能に構成されているから、レバー側の傾き規制部を特別な構造にする必要がなく、レバーの構成の簡素化を図れる。
【００１５】
＜請求項５の発明＞
レバー側の傾き規制部がカム板の外周縁に突出して設けられた突起部によって構成され、第２ハウジング側の傾き規制部がレバーの離脱方向への回動操作に伴って突起部に摺動可能に構成されているから、第２ハウジング側の傾き規制部を特別な構造にする必要がなく、第２ハウジングの構成の簡素化を図れる。
【００１６】
＜請求項６の発明＞
レバー側の傾き規制部がカム溝を有するカム板の外面に設けられたピンによって構成され、第２ハウジング側の傾き規制部が第１ハウジング及びカム板が内嵌可能な筒状をなすフード部の開口縁に構成されているから、第２ハウジング側の傾き規制部を特別な構造にする必要がなく、第２ハウジングの構成の簡素化を図れる。
【発明を実施するための最良の形態】
【００１７】
＜実施形態１＞
本発明の実施形態１を図１ないし図４によって説明する。本実施形態に係るレバー式コネクタ１０は、互いに嵌合・離脱可能な一対の第１、第２ハウジング２０、４０と、第１ハウジング２０に回動可能に装着されるレバー６０とによって構成されている。なお、以下の説明において前後方向については、両ハウジング２０、４０の互いの嵌合面側を前方として説明する。
【００１８】
第１ハウジング２０は合成樹脂製であって、前後方向（嵌合・離脱方向）と直交する幅方向に細長い角ブロック状をなしている。第１ハウジング２０の長辺側の両側面には、レバー６０の回動支点を構成する一対の支軸２１が突出して設けられている。両支軸２１は、第１ハウジング２０の両側面の幅方向中央Ｍよりも一方側へ偏った位置で、かつ第１ハウジング２０の両側面の後端側の位置に配され、円柱状に突出するとともにその突出端から一対の抜止片２２を互いに逆向きに張り出してなる。
【００１９】
また、第１ハウジング２０の長辺側の両側面には、一対の袋状の抜け規制部２３が設けられている。レバー６０の回動過程では、抜け規制部２３の内面とレバー６０の第２段差面６５（後述する）とが互いに摺動することにより、嵌合時におけるレバー６０の過度の拡開変形が規制されるようになっている。そして、第１ハウジング２０内には、図示しない複数の雌側端子金具が収容されている。
【００２０】
レバー６０は合成樹脂製であって全体として板状をなし、高さ方向に延びる操作板６１と操作板６１の両端から突出する一対のカム板６２とによって構成されている。かかるレバー６０は、嵌合完了位置へ向けて嵌合方向（図示反時計回り方向）に回動されるとともに、離脱完了位置へ向けて離脱方向（図示時計回り方向）に回動される。この場合、嵌合完了位置ではカム板６２の後端縁が略水平に配され、離脱完了位置ではカム板６２の後端縁が幅方向の他方側へ向けて上向きに傾斜して配されるようになっている。操作板６１には、第１、第２ハウジング２０、４０のいずれかに係止可能な図示しないロック部が設けられ、レバー６０が嵌合完了位置に到達したときに、ロック部の係止作用によってレバー６０の離脱方向への戻り操作が規制されるようになっている。
【００２１】
両カム板６２には、それぞれ支軸２１が嵌合可能な軸受孔６３が貫通して設けられている。両軸受孔６３の外周縁には、それぞれ第１段差面６４がカム板６２の最外面よりも一段低い位置に設けられ、第１段差面６４に抜止片２２が摺動することでレバー６０の第１ハウジング２０からの抜け止めがなされるようになっている。また、両カム板６２の外面の外周側には、それぞれ第２段差面６５が一段低く設けられている。
【００２２】
両カム板６２の第２段差面６５の外周縁には、図２に示すように、それぞれレバー側傾き規制部６６が設けられている。レバー側傾き規制部６６は、両カム板６２の外周縁に特有の構造を施すことなく円弧状に形成され、レバー６０の離脱方向への回動過程で底上部４４（後述する）と摺動するようになっている。
【００２３】
そして、両カム板６２には、それぞれカム溝６７が所定方向に延びて設けられている。詳しくはカム溝６７は、カム板６２の内部において貫通溝状をなし、レバー６０の嵌合・離脱方向への回動操作によって第２ハウジング４０のカムフォロア４２（後述する）が押圧状態で摺動する嵌合用カム面６８及び離脱用カム面６９を有する作動領域７１と、作動領域７１の入り口側（作動領域７１の離脱方向の終端位置で、かつ作動領域７１の嵌合方向の始端位置）に連なり、かつカム板６２の外周縁に開口する貫通溝状をなし、離脱用カム面６９と連続する溝面が第２ハウジング４０のカムフォロア４２と非押圧状態で当接又は非当接とされる遊び領域７２とからなる。
【００２４】
レバー６０の離脱方向への回動操作に伴い、作動領域７１では両ハウジング２０、４０の離脱動作が進行し、遊び領域７２では両ハウジング２０、４０の離脱動作が進行しない構成とされている。作動領域７１及び遊び領域７２はいずれもレバー６０の取付状態において第１ハウジング２０の幅方向中央Ｍよりも一方側へ偏った位置に配されている。作動領域７１と遊び領域７２との境界は、両ハウジング２０、４０が正規の離脱姿勢をとっていれば両ハウジング２０、４０の離脱動作が完了すると予定された離脱予定位置に設定されている。一方、遊び領域７２内には、両ハウジング２０、４０の実際の離脱動作が完了する離脱完了位置が設定されている。
【００２５】
作動領域７１は、レバー６０が嵌合完了位置へ向けて回動される過程で、幅方向の他方側へ向けて次第に上向きに傾斜するようになっている。図４に示すように、遊び領域７２はカムフォロア４２が導入される導入溝７４を含み、導入溝７４はレバー６０が嵌合開始位置にあるときに前後方向に沿って配されるようになっている。
【００２６】
導入溝７４の入り口とカム板６２の後端縁との間には、既述した第２段差面６５及びレバー側傾き規制部６６が設けられている。また、両カム板６２の外周縁のうち導入溝７４の入り口を挟んで第２段差面６５及びレバー側傾き規制部６６と反対側の部位には、それぞれ逃がし凹部７５が切り欠いて設けられ、レバー６０が嵌合完了位置に達したときに、底上部４４が逃がし凹部７５に進入するようになっている。
【００２７】
続いて第２ハウジング４０について説明すると、第２ハウジング４０は同じく合成樹脂製であって、内側に図示しない雄側端子金具の雄タブが突出して配される筒状のフード部４１を有している。フード部４１は、幅方向に細長い角筒状をなし、その内部には第２ハウジング４０及び両カム板６２を受容して収容可能な嵌合空間が保有されている。フード部４１の長辺側の両側内面には、両ハウジング２０、４０の幅方向中央Ｍ（嵌合空間の幅方向中央Ｍでもある）よりも一方側へ偏った位置に、一対のカムフォロア４２が円柱状に突出して設けられている。
【００２８】
フード部４１の奥壁内面には、ハウジング側傾き規制部を構成する台状の底上部４４が突出して設けられている。底上部４４は、フード部４１の奥壁の幅方向中央Ｍよりも一方側へ偏った位置で、かつレバー６０が離脱予定位置から離脱完了位置へ回動される間にレバー側傾き規制部６６と対向する位置に配され、その突出端がフード部４１の奥壁内面から前方へ嵩上げされている。底上部４４の突出端には、レバー側傾き規制部６６と当接可能な第１、第２当接面４５、４６が構成されている。第１当接面４５は、第１ハウジング２０の離脱姿勢が正規の姿勢から傾いている場合に、その第１ハウジング２０の傾きに沿うように幅方向一方側へ向けて下り勾配に傾斜する形状とされ、両ハウジング２０、４０の離脱過程でレバー側傾き規制部６６と摺動するようになっている。一方、第２当接面４６は、幅方向に沿って略水平に配され、第１当接面４５によって第１ハウジング２０の離脱姿勢が立て直された両ハウジング２０、４０の離脱完了時にレバー側傾き規制部６６と当接するようになっている。
【００２９】
次に、本実施形態に係るレバー式コネクタ１０の嵌合・離脱動作及びその効果について説明する。  
レバー６０を嵌合開始位置に留め置き、両ハウジング２０、４０を互いに浅く嵌合する。すると、カム溝６７の導入溝７４に前方からカムフォロア４２が進入する。その状態で、操作板６１を摘みながらレバー６０を嵌合完了位置へ向けて回動すると、カムフォロア４２がカム溝６７の作動領域７１の嵌合用カム面６８を摺動してカム作用が発揮され、両ハウジング２０、４０の嵌合動作が低操作力で進行する。レバー６０が嵌合完了位置に至ると、カムフォロア４２がカム溝６７の奥端側に到達して、図示しない雌雄の両端子金具が正規深さで導通接続される。このとき、底上部４４がレバー６０の逃がし凹部７５に嵌合状態で収容される。
【００３０】
次いで、メンテナンス等の必要に応じて両ハウジング２０、４０を互いに引き離す際には、図１に示すように、嵌合完了位置にあるレバー６０の操作板６１を摘みながらレバー６０を離脱完了位置へ向けて回動する。すると、図２に示すように、カムフォロア４２がカム溝６７の作動領域７１の離脱用カム面６９を摺動してカム作用が発揮され、両ハウジング２０、４０の離脱動作が低操作力で進行する。
【００３１】
ところで、レバー６０が離脱予定位置を通過するときに、離脱用カム面６９からカムフォロア４２に作用する嵌合・離脱方向と交差する斜め方向の反力に起因して、第１ハウジング２０が嵌合空間内における隙間範囲でその幅方向の一方側を奥壁内面に近づけるとともにその幅方向の他方側を奥壁内面から遠ざける向きに傾いた姿勢をとり、これによってカムフォロア４２がカム溝６７から離間されない可能性がある。しかるに本実施形態によれば、両ハウジング２０、４０の離脱姿勢が傾いていても、カムフォロア４２が遊び領域７２に進入することにより、レバー側傾き規制部６６が底上部４４の第１、第２当接面４５、４６を順次摺動して、第２ハウジング４０に対する第１ハウジング２０の離脱姿勢の傾きが矯正されるようになっている。このため、レバー６０が離脱完了位置に至ると、図３に示すように、カムフォロア４２がカム溝６７の溝面から離間して両者の係合状態が解除され、図４に示すように、両ハウジング２０、４０が支障なく引き離される。
【００３２】
また、本実施形態によれば、レバー側傾き規制部６６がカム板６２の外周縁に構成され、ハウジング側傾き規制部がカム板６２が内嵌可能な筒状をなすフード部４１の奥壁内面に底上部４４として構成されているから、両ハウジング２０、４０が嵌合状態にあるときに、レバー側傾き規制部６６及び底上部４４がフード部４１内に隠蔽されて保護状態に置かれる。その結果、レバー側傾き規制部６６及び底上部４４が不用意に損傷されるのが防止される。さらに、レバー側傾き規制部６６が特別な構造を有していないため、レバー６０の構成の簡素化を図れる。
【００３３】
＜実施形態２＞
次に、本発明の実施形態２を図５及び図６によって説明する。実施形態２では、傾き規制部４４Ａ、６６Ａの形態が実施形態１とは異なっている。その他は、実施形態１と概ね同様であり、実施形態１と同様の構造部位には同一符号を付し、重複する説明は省略する。
【００３４】
実施形態２におけるハウジング側傾き規制部４４Ａは、フード部４１の奥壁内面に構成されるフラット面とされ、特別な構造を有することなく周囲の奥壁内面と面一で連続する形状とされている。
【００３５】
一方、レバー側傾き規制部は、両カム板６２の外周縁に突出して設けられたヒレ状の突起部６６Ａによって構成されている。詳しくは突起部６６Ａは、導入溝７４の入り口とカム板６２の後端縁との間に配され、導入溝７４の溝面と凹凸なく連続する湾曲面７６を有している。
【００３６】
次に、実施形態２に係るレバー式コネクタ１０Ａの嵌合・離脱動作及びその効果について説明する。  
レバー６０の嵌合方向への回動操作に伴い、図５に示すように、カムフォロア４２がカム溝６７の嵌合用カム面６８を摺動してカム溝６７の奥端側に到達すると、両ハウジング２０、４０が互いに正規嵌合される。その状態からレバー６０を離脱完了位置へ向けて回動すると、カムフォロア４２がカム溝６７の離脱用カム面６９を摺動して両ハウジング２０、４０が少しずつ離間されて行く。レバー６０が離脱予定位置を通過するときに、両ハウジング２０、４０が正規の離脱姿勢から傾いていれば、図６に示すように、さらなるレバー６０の回動操作によって突起部６６Ａの湾曲面７６がハウジング側傾き規制部４４Ａと摺動し、これによって両ハウジング２０、４０の離脱姿勢が徐々に立て直される。こうしてレバー６０が離脱完了位置に至ると、両ハウジング２０、４０の離脱姿勢が矯正され、カムフォロア４２がカム溝６７の溝面から離間して両者の係合状態が解除されて、両ハウジング２０、４０が支障なく引き離される。
【００３７】
実施形態２によれば、ハウジング側傾き規制部４４Ａが特別な構造を有しないため、第２ハウジング４０の構成の簡素化を図れる。
【００３８】
＜実施形態３＞
図７及び図８は本発明の実施形態３を示す。実施形態３では、傾き規制部４４Ｂ、６６Ｂの形態が実施形態１とは異なっている。その他は、実施形態１と概ね同様であり、実施形態１と同様の構造部位には同一符号を付し、重複する説明は省略する。
【００３９】
実施形態３におけるハウジング側傾き規制部４４Ｂは、フード部４１の前端における開口縁に構成され、特別な構造を有していない。
【００４０】
一方、レバー側傾き規制部は、両カム板６２の外面に設けられた小円柱状のピン６６Ｂによって構成されている。詳しくはピン６６Ｂは、両カム板６２の外面のうちカム溝６７と軸受孔６３とカム板６２の後端縁とで囲まれる領域内に設定され、レバー６０がカム溝６７の遊び領域７２に進入したときに、ハウジング側傾き規制部４４Ｂと当接するようになっている。
【００４１】
次に、実施形態３に係るレバー式コネクタ１０Ｂの嵌合・離脱動作及びその効果について説明する。  
レバー６０の嵌合方向への回動操作に伴い、カムフォロア４２がカム溝６７の嵌合用カム面６８を摺動してカム溝６７の奥端側に到達すると、両ハウジング２０、４０が互いに正規嵌合される。その状態からレバー６０を離脱完了位置へ向けて回動すると、カムフォロア４２がカム溝６７の離脱用カム面６９を摺動して両ハウジング２０、４０が少しずつ離間されて行く。レバー６０が離脱予定位置を通過するときに、両ハウジング２０、４０が正規の離脱姿勢から傾いていれば、図８に示すように、さらなるレバー６０の回動操作によってピン６６Ｂの側縁がフードの開口縁に当接し、これによって両ハウジング２０、４０の離脱姿勢が徐々に立て直される。こうしてレバー６０が離脱完了位置に至ると、両ハウジング２０、４０の離脱姿勢が矯正され、カムフォロア４２がカム溝６７の溝面から離間して両者の係合状態が解除されて、両ハウジング２０、４０が支障なく引き離される。
【００４２】
実施形態３によれば、ハウジング側傾き規制部４４Ｂが特別な構造を有しないため、第２ハウジング４０の構成の簡素化を図れる。
【００４３】
＜他の実施形態＞
本発明は上記記述及び図面によって説明した実施形態に限定されるものではなく、例えば次のような実施形態も本発明の技術的範囲に含まれる。  
（１）実施形態１では、レバーの外周縁のうち底上部と摺動可能な部位が凹部又は凸部として構成されていてもよい。  
（２）実施形態２では、フードの奥壁内面のうち突起部と摺動可能な部位が凹部又は凸部として構成されていてもよい。  
（３）実施形態３では、フード部の開口縁のうちピンと当接可能な部位が凹部又は凸部として構成されていてもよい。  
（４）レバーにはカム板が一枚だけ設けられるものであってもよい。
【図面の簡単な説明】
【００４４】
【図１】本発明の実施形態１に係るレバー式コネクタにおいて、レバーが嵌合完了位置まで回動されて、両ハウジングが正規嵌合された状態を示す一部破断平面図である。
【図２】レバーが離脱完了位置へ向かう途中まで回動されて、両ハウジングが離脱して行く状態を示す一部破断平面図である。
【図３】レバーが離脱完了位置まで回動されて、両ハウジングが離脱して行く状態を示す一部破断平面図である。
【図４】両ハウジングが完全に引き離された状態を示す一部破断平面図である。
【図５】実施形態２に係るレバー式コネクタにおいて、レバーが嵌合完了位置まで回動されて、両ハウジングが正規嵌合された状態を示す一部破断平面図である。
【図６】レバーが離脱完了位置まで回動されて、両ハウジングが離脱して行く状態を示す一部破断平面図である。
【図７】実施形態３に係るレバー式コネクタにおいて、レバーが嵌合完了位置まで回動されて、両ハウジングが正規嵌合された状態を示す一部破断平面図である。
【図８】レバーが離脱完了位置まで回動されて、両ハウジングが離脱して行く状態を示す一部破断平面図である。
【符号の説明】
【００４５】
１０、１０Ａ、１０Ｂ…レバー式コネクタ
２０…第１ハウジング
２１…支軸（レバーの回動操作の支点）
４０…第２ハウジング
４１…フード部
４２…カムフォロア
４４…底上部（第２ハウジング側の傾き規制部）
４４Ａ、４４Ｂ…ハウジング側傾き規制部（第２ハウジング側の傾き規制部）
６０…レバー
６２…カム板
６６…レバー側傾き規制部（レバー側の傾き規制部）
６６Ａ…突起部（レバー側の傾き規制部）
６６Ｂ…ピン（レバー側の傾き規制部）
６７…カム溝
７１…作動領域
７２…遊び領域
【図１】
2010140646.tif 000003
【図２】
2010140646.tif 000004
【図３】
2010140646.tif 000005
【図４】
2010140646.tif 000006
【図５】
2010140646.tif 000007
【図６】
2010140646.tif 000008
【図７】
2010140646.tif 000009
【図８】
2010140646.tif 000010